(57)【要約】【課題】ユーザーの嗜好や使用用途に応じて、ＯＳＤメニュー画面のスタイルを自由に変更することができるプロジェクター等を提供する。【解決手段】ＯＳＤメニュー画面をスクリーンＳＣ上に投写する投写光学系１９と、ＯＳＤメニュー画面の画面要素（画面レイアウト，メニュー項目）を複数記憶したＯＳＤ用メモリー１３と、複数の画面要素の中から、１以上の画面要素を選択するための操作部１２と、操作部１２による１以上の画面要素の選択結果に応じて、ＯＳＤメニュー画面をカスタマイズするＯＳＤ処理部１４と、を備えたものである。【選択図】図１
2010169986.tif 000002
【特許請求の範囲】
【請求項１】
ＯＳＤメニュー画面をスクリーン上に投写する投写手段と、
前記ＯＳＤメニュー画面の画面要素を複数記憶した画面要素記憶手段と、
前記複数の画面要素の中から、１以上の画面要素を選択するための選択手段と、
前記選択手段の選択結果に応じて、前記ＯＳＤメニュー画面をカスタマイズするカスタマイズ手段と、を備えたことを特徴とするプロジェクター。
【請求項２】
前記選択手段の選択結果を不揮発に記憶する選択結果記憶手段をさらに備え、
前記カスタマイズ手段は、前記選択結果記憶手段を参照して、前記ＯＳＤメニュー画面を生成することを特徴とする請求項１に記載のプロジェクター。
【請求項３】
前記画面要素は、前記ＯＳＤメニュー画面のトップメニューとして表示するメニュー項目であることを特徴とする請求項２に記載のプロジェクター。
【請求項４】
前記メニュー項目は、メインメニューと、当該メインメニューの下位階層にあるサブメニューと、から成り、
前記選択手段は、前記メインメニューおよび前記サブメニューの中から、１以上のメニュー項目を選択することを特徴とする請求項３に記載のプロジェクター。
【請求項５】
前記選択結果記憶手段は、複数のユーザーの選択結果を記憶可能であり、各ユーザーの選択結果である１以上のメニュー項目と共に、各メニュー項目の設定値を不揮発に記憶することを特徴とする請求項３または４に記載のプロジェクター。
【請求項６】
各メニュー項目の使用頻度を計測する使用頻度計測手段と、
前記使用頻度計測手段の計測結果に基づいて、使用頻度の高いメニュー項目を抽出した項目リストを生成する項目リスト生成手段と、をさらに備え、
前記選択手段は、前記スクリーン上に表示された前記項目リストの中から、前記１以上のメニュー項目を選択することを特徴とする請求項３ないし５のいずれか１項に記載のプロジェクター。
【請求項７】
前記画面要素は、使用目的に対応した前記ＯＳＤメニュー画面の画面レイアウトと、前記メニュー項目であり、
前記選択手段による前記画面レイアウトの選択結果に応じて、選択を推奨する前記メニュー項目を抽出した推奨リストを生成する推奨リスト生成手段をさらに備え、
前記選択手段は、前記スクリーン上に表示された前記推奨リストを書き替えることにより、前記１以上のメニュー項目を選択することを特徴とする請求項３ないし６のいずれか１項に記載のプロジェクター。
【請求項８】
コンピューターを、請求項１ないし７のいずれか１項に記載のプロジェクターにおける各手段として機能させるためのプログラム。
【発明の詳細な説明】
【技術分野】
【０００１】
各種設定値の表示および変更を行うためのＯＳＤメニュー画面を表示可能なプロジェクターおよびプログラムに関するものである。
【背景技術】
【０００２】
プロジェクターは、画像調整に関する設定値など各種設定値の表示および変更を行う際、ＯＳＤ（On  Screen  Display）メニュー画面をスクリーン上に表示する必要がある。近年、このプロジェクターの使用用途は、プレゼンテーションだけでなく、家庭における映画鑑賞やゲーム画面の投写など、拡大の傾向にある。そのため、プロジェクターの設定も、使用用途に応じて変更される機会が多くなっている。そこで、ユーザー毎の設定値を記憶しておき、これを読み出すことで、ユーザーの嗜好に応じた映像を簡単に投写することができるプロジェクターが提案されている（例えば、特許文献１）。
【先行技術文献】
【特許文献】
【０００３】
【特許文献１】特開２００８−１２２６５１号公報
【発明の概要】
【発明が解決しようとする課題】
【０００４】
ところで、上記のとおり、ＯＳＤメニュー画面は、プロジェクターの使用には欠かせない要素である。しかしながら、従来のプロジェクターでは、このＯＳＤメニュー画面をユーザーの嗜好に合わせて変更することができなかった。例えば、ユーザーによっては、従来のＯＳＤメニュー画面のスタイルは画一的で親近感が持てないため、カスタマイズしたいといった要望がある。また、ＯＳＤメニュー画面のメニュー項目の中には、使用用途に応じて、頻繁に利用されるものとそうでないものとが存在する。このため、不要なメニュー項目を削除したいといった要望もある。しかしながら、そのような要望に応えられるプロジェクターは、未だ存在しない。
【０００５】
本発明は、上記の問題点に鑑み、ユーザーの嗜好や使用用途に応じて、ＯＳＤメニュー画面のスタイルを自由に変更することができるプロジェクターおよびプログラムを提供することを目的とする。
【課題を解決するための手段】
【０００６】
本発明のプロジェクターは、ＯＳＤメニュー画面をスクリーン上に投写する投写手段と、ＯＳＤメニュー画面の画面要素を複数記憶した画面要素記憶手段と、複数の画面要素の中から、１以上の画面要素を選択するための選択手段と、選択手段の選択結果に応じて、ＯＳＤメニュー画面をカスタマイズするカスタマイズ手段と、を備えたことを特徴とする。
【０００７】
この構成によれば、ユーザーが画面要素を選択することにより、ユーザーの嗜好や使用用途に適したＯＳＤメニュー画面に変更することができる。
なお、「画面要素」とは、ＯＳＤメニュー画面を構成する構成要素を指すものであり、具体的には、画面レイアウト（画面、アイコン、背景、文字などのデザイン、色およびサイズの他）やメニュー項目などが挙げられる。
【０００８】
上記に記載のプロジェクターにおいて、選択手段の選択結果を不揮発に記憶する選択結果記憶手段をさらに備え、カスタマイズ手段は、選択結果記憶手段を参照して、ＯＳＤメニュー画面を生成することが好ましい。
【０００９】
この構成によれば、ユーザーの選択結果が不揮発に記憶されるため、電源を投入するたびに選択を行う必要が無く、ユーザーの嗜好や使用用途に適したＯＳＤメニュー画面を簡単に投写させることができる。
【００１０】
上記に記載のプロジェクターにおいて、画面要素は、ＯＳＤメニュー画面のトップメニューとして表示するメニュー項目であることが好ましい。
【００１１】
上記に記載のプロジェクターにおいて、メニュー項目は、メインメニューと、当該メインメニューの下位階層にあるサブメニューと、から成り、選択手段は、メインメニューおよびサブメニューの中から、１以上のメニュー項目を選択することが好ましい。
【００１２】
この構成によれば、ユーザーの嗜好や使用用途に適したメニュー項目のみを、ＯＳＤメニュー画面に表示させることができる。また、メインメニューおよびサブメニューの中から、所望のメニュー項目を選択できるため、使用頻度が高いサブメニューを画面要素として選択しておけば、ＯＳＤメニュー画面のトップメニューとしてサブメニューを表示させることができ、階層を下るための操作を必要とすることなく、１回の選択操作でそのサブメニューを選択することができる。
なお、メニュー項目が、メインメニューと、複数階層のサブメニューと、から成る場合、選択手段は、第３階層以下のサブメニューからも選択可能であることが好ましい。
【００１３】
上記に記載のプロジェクターにおいて、選択結果記憶手段は、複数のユーザーの選択結果を記憶可能であり、各ユーザーの選択結果である１以上のメニュー項目と共に、各メニュー項目の設定値を不揮発に記憶することが好ましい。
【００１４】
この構成によれば、ユーザー毎に、各ユーザーが選択した１以上のメニュー項目と、それらの設定値と、を記憶するため、１台のプロジェクターを複数人で共有する場合に便利である。また、一人のユーザーが、使用用途毎に、メニュー項目および設定値を記憶させておきたい場合にも、利用可能である。
【００１５】
上記に記載のプロジェクターにおいて、各メニュー項目の使用頻度を計測する使用頻度計測手段と、使用頻度計測手段の計測結果に基づいて、使用頻度の高いメニュー項目を抽出した項目リストを生成する項目リスト生成手段をさらに備え、選択手段は、スクリーン上に表示された項目リストの中から、１以上のメニュー項目を選択することが好ましい。
【００１６】
この構成によれば、使用頻度の高いメニュー項目を抽出した項目リストが表示されるため、ユーザーは、自分に必要なメニュー項目を把握することができ、容易に１以上のメニュー項目を選択することができる。
なお、１台のプロジェクターが複数人で共有される場合は、ユーザー毎に、使用頻度を計測し、各ユーザーに適した項目リストを生成することが好ましい。
【００１７】
上記に記載のプロジェクターにおいて、画面要素は、使用目的に対応したＯＳＤメニュー画面の画面レイアウトと、メニュー項目であり、選択手段による画面レイアウトの選択結果に応じて、選択を推奨するメニュー項目を抽出した推奨リストを生成する推奨リスト生成手段をさらに備え、選択手段は、スクリーン上に表示された推奨リストを書き替えることにより、１以上のメニュー項目を選択することが好ましい。
【００１８】
この構成によれば、画面レイアウトの選択結果に応じた推奨リストが表示されるため、ユーザーは、使用用途に適したメニュー項目を把握することができ、容易に１以上のメニュー項目を選択することができる。また、メニュー項目の選択は、推奨リストを書き替えれば良いため、推奨リストどおりで良い場合は選択操作を必要とすることがなく、ユーザーの手間を省くことができる。
【００１９】
本発明のプログラムは、コンピューターを、上記のいずれか１項に記載のプロジェクターにおける各手段として機能させるためのものであることを特徴とする。
【００２０】
この構成によれば、ユーザーの嗜好や使用用途に応じて、ＯＳＤメニュー画面のスタイルを自由に変更することができるプロジェクターを実現するためのプログラムを提供することができる。
【図面の簡単な説明】
【００２１】
【図１】本発明の一実施形態に係るプロジェクターの構成を示すブロック図である。
【図２】ＯＳＤメニュー画面のカスタマイズ処理を示すフローチャートである。
【図３】標準のＯＳＤメニュー画面の表示例と、メニュー項目の階層構成を示す図である。
【図４】ＯＳＤメニュー画面をカスタマイズするための選択画面の表示例（［ユーザ切替］、［レイアウト］）を示す図である。
【図５】ＯＳＤメニュー画面をカスタマイズするための選択画面の表示例（［項目設定］、［おまかせ設定］）を示す図である。
【図６】カスタマイズされたＯＳＤメニュー画面の表示例を示す図である。
【発明を実施するための形態】
【００２２】
以下、本発明の一実施形態に係るプロジェクターおよびプログラムについて図面を参照しながら説明する。本実施形態のプロジェクターは、ＯＳＤメニュー画面をスクリーン上に投写して環境設定（各種設定値の設定）が行われる。この場合、ユーザーは、登録しておいたユーザー名を指定することで、自分用にカスタマイズされたＯＳＤメニュー画面を表示できるようになっている。
【００２３】
図１は、プロジェクター１０の構成を示すブロック図である。同図に示すように、プロジェクター１０は、信号入力部１１、操作部１２、ＯＳＤ用メモリー１３、ＯＳＤ処理部１４、画像処理部１５、中央制御部１６、制御用メモリー１７、投写制御部１８および投写光学系１９を備えている。
【００２４】
信号入力部１１は、パーソナルコンピューターやビデオレコーダ等の外部機器７１から画像信号を入力する。すなわち、信号入力部１１は、パーソナルコンピューターから出力されたＲＧＢ信号やビデオレコーダから出力されたコンポジット信号を受信するインターフェースにより実現される。
【００２５】
操作部１２は、ユーザーが各種設定および操作を行うためのものであり、プロジェクター１０本体に備えられた操作パネルやリモコン（いずれも図示省略）により実現される。請求項における「選択手段」とは、操作部１２を指す。本実施形態においては、主にＯＳＤメニュー画面３０（図３（ａ）参照）をカスタマイズするための選択操作や、ＯＳＤメニュー画面３０の表示指示を行うために用いられる。
【００２６】
ＯＳＤ用メモリー１３は、ＯＳＤメニュー画面３０のカスタマイズ処理に用いられる各種データを不揮発且つ書き替え不能に記憶するものであり、画面レイアウト記憶部１３ａと、メニュー項目記憶部１３ｂと、を有する。請求項における「画面要素」とは、これら画面レイアウトおよびメニュー項目を指す。また、請求項における「画面要素記憶手段」とは、ＯＳＤ用メモリー１３を指す。
【００２７】
画面レイアウト記憶部１３ａは、ＯＳＤメニュー画面３０の画面レイアウトを複数種類記憶している。画面レイアウトとしては、「動画用」（図６（ａ）参照）、「ＰＣ用」（図６（ｂ）参照）などがある。前者の場合、設定値表示領域３３がフィルム風のスタイルとなり、後者の場合、設定値表示領域３３がウィンドウフレーム風のスタイルとなる。つまり、画面レイアウト記憶部１３ａは、画面レイアウトとして、ＯＳＤメニュー画面３０の枠、アイコン、背景、文字などのデザイン、色およびサイズを規定した画像データを記憶する。
【００２８】
一方、メニュー項目記憶部１３ｂは、ＯＳＤメニュー画面３０に表示する複数のメニュー項目を記憶している。メニュー項目は、メインメニューと、当該メインメニューの下位階層にあるサブメニューと、から成る。ユーザーは、これらメインメニューおよびサブメニューの中から、ＯＳＤメニュー画面３０のトップメニュー（トップメニュー表示領域３１，図３（ａ）参照）として表示するメニュー項目を選択可能となっている。
【００２９】
ＯＳＤ処理部１４は、中央制御部１６からの制御信号に基づき、ＯＳＤメニュー画面３０のカスタマイズ処理および表示処理を実行する。請求項における「投写手段」とは、ＯＳＤ処理部１４、並びに後述する投写制御部１８および投写光学系１９を指す。また、請求項における「カスタマイズ手段」とは、ＯＳＤ処理部１４を指す。ＯＳＤ処理部１４は、具体的に、操作部１２により選択された画面レイアウトやメニュー項目の選択結果に応じて、ＯＳＤメニュー画面３０をカスタマイズする。つまり、ユーザーの選択結果に応じて、ＯＳＤメニュー画面３０のスタイルやメニュー構成を変更する。また、ユーザーの選択結果（ＯＳＤメニュー画面３０のカスタマイズ結果）は、後述する制御用メモリー１７に不揮発に記憶されるため、操作部１２の操作によりＯＳＤメニュー画面３０の表示指示があった場合、当該制御用メモリー１７に記憶された選択結果を参照して、ＯＳＤメニュー画面３０を生成し、画像処理部１５にＯＳＤメニュー画面３０を送信する。
【００３０】
画像処理部１５は、信号入力部１１により入力された画像信号に対し、予め記憶されている画像処理プログラムに基づいて、所定の画像処理を実行する。所定の画像処理としては、キーストーン歪補正処理、画質調整処理、画像サイズ調整処理、ガンマ補正処理、画像合成（重畳）処理等を行う。
【００３１】
中央制御部１６は、プロジェクター１０全体を統括制御するものであり、使用頻度計測部１６ａと、項目リスト生成部１６ｂと、推奨リスト生成部１６ｃと、を有する。請求項における「使用頻度計測手段」、「項目リスト生成手段」および「推奨リスト生成手段」とは、中央制御部１６を指す。
【００３２】
使用頻度計測部１６ａは、ＯＳＤメニュー画面３０における各メニュー項目の使用頻度を計測する。当該使用頻度計測部１６aの計測結果は、後述する制御用メモリー１７に不揮発に記憶される。項目リスト生成部１６ｂは、使用頻度計測部１６ａの計測結果に基づいて、メニュー項目記憶部１３ｂの中から使用頻度の高いメニュー項目を抽出し、項目リスト４９（図５（ｂ）参照）を生成する。また、推奨リスト生成部１６ｃは、使用頻度計測部１６ａの計測結果と、ＯＳＤメニュー画面３０のカスタマイズ処理の際にユーザーが選択した画面レイアウトの選択結果と、に基づいて、選択を推奨するメニュー項目を抽出し、推奨リスト５５（選択項目，図５（ｂ）参照）を生成する。画面レイアウトは、「動画用」や「ＰＣ用」など使用目的に対応しているため、その使用目的において一般に使用頻度が高いと考えられるメニュー項目を優先して、推奨リスト５５を生成する。但し、その使用目的において一般に優先度が高いと考えられるメニュー項目であっても、使用頻度計測部１６ａの計測結果から対象となるユーザーの使用頻度が低いと判定した場合は、そのメニュー項目を除外して、推奨リスト５５を生成する。なお、これら使用頻度計測部１６ａ、項目リスト生成部１６ｂおよび推奨リスト生成部１６ｃは、カスタマイズ処理の際、ユーザーが設定方法として「おまかせ設定」を選択した場合に機能するものである。詳細については、後述する。
【００３３】
制御用メモリー１７は、中央制御部１６の制御に用いられる制御データを不揮発且つ書き替え可能に記憶するものであり、選択結果記憶部１７ａと、使用回数記憶部１７ｂと、を有する。請求項における「選択結果記憶手段」とは、選択結果記憶部１７ａを指す。
【００３４】
選択結果記憶部１７ａは、操作部１２により選択された画面レイアウトやメニュー項目の選択結果を不揮発に記憶する。これにより、ユーザーは、電源を投入するたびに選択操作（カスタマイズ操作）を行う必要が無く、登録しておいたユーザー名を指定するだけで、自分の嗜好や使用用途に適したＯＳＤメニュー画面３０を簡単に表示させることができる。また、使用回数記憶部１７ｂは、ＯＳＤメニュー画面３０における各メニュー項目の使用回数を、ユーザー毎に記憶する。上記の使用頻度計測部１６ａは、当該使用回数記憶部１７ｂを参照して、各メニュー項目の使用頻度（使用回数の累計または使用割合）を計測する。
【００３５】
投写制御部１８は、ＯＳＤ処理部１４により処理されたＯＳＤメニュー画面３０や画像処理部１５により処理された画像を、後述する液晶ライトバルブ２３の各画素に対応する階調値を導出することにより、全画素の階調値からなる画像データを生成し、当該画像データに基づいて投写制御を行う。
【００３６】
投写光学系１９は、スクリーンＳＣ上に、ＯＳＤメニュー画面３０や映像を投写するものであり、ライトバルブ駆動部２１と、光源部２２と、３原色に対応した液晶ライトバルブ２３（２３Ｒ，２３Ｇ，２３Ｂ）と、投写レンズ２４と、を有する。各液晶ライトバルブ２３は、一対の透明基板間に液晶が封入された液晶パネル等によって構成される。各透明基板の内面には、液晶に対して微小領域毎に駆動電圧を印加可能な透明電極が、画素としてマトリクス状に形成されている。ライトバルブ駆動部２１は、液晶ライトバルブ２３の各画素に、画像データに応じた駆動電圧を印加することにより、各画素の光透過率を設定する。つまり、光源部２２から射出された照明光は、不図示の光分離光学系によって、Ｒ，Ｇ，Ｂの色光に分離された後、各色用の液晶ライトバルブ２３を透過することによって変調される。また、変調された画像光は、不図示の光合成光学系（ダイクロイックプリズムなど）により画素毎に合成されてカラー画像化され、当該カラー画像化された画像光が投写レンズ２４によって投写されることにより、スクリーンＳＣ上にカラー映像が写し出される。
【００３７】
次に、図２のフローチャートを参照し、ＯＳＤメニュー画面３０のカスタマイズ処理について説明する。なお、同図において、細枠はユーザーの操作を示し、太枠はプロジェクター１０の動作を示している。まず、ユーザーは、操作部１２を用いて、ユーザー名を選択または新規作成する（Ｓ０１）。過去に作成したＯＳＤメニュー画面３０の変更を行う場合は、ユーザー名を選択して変更を行い、ＯＳＤメニュー画面３０を新規に作成する場合は、ユーザー名を新規作成する。
【００３８】
続いて、ユーザーは、画面レイアウト記憶部１３ａに記憶されている複数種類の画面レイアウトの中から、好みの画面レイアウトを選択する（Ｓ０２）。さらに、ユーザーは、「カスタム設定」または「おまかせ設定」のいずれかの設定方法を選択する（Ｓ０３）。ここで、「カスタム設定」を希望する場合は、後述する［項目設定］ボタン（図５（ａ）参照）を押下する（Ｓ０４）。プロジェクター１０は、当該［項目設定］ボタンの押下をトリガとして、メニュー項目記憶部１３ｂに記憶されているメニュー項目の一覧を表示する（Ｓ０５）。ユーザーは、表示されたメニュー項目の一覧の中から、ＯＳＤメニュー画面３０のトップメニューとして表示させたいメニュー項目を選択する（Ｓ０６）。
【００３９】
一方、設定方法としてユーザーが「おまかせ設定」を希望する場合は、後述する［おまかせ設定］ボタン（図５（ｂ）参照）を押下する（Ｓ０７）。プロジェクター１０は、当該［おまかせ設定］ボタンの押下をトリガとして、項目リスト４９および推奨リスト５５を生成し（Ｓ０８）、これらを表示する（Ｓ０９）。なお、項目リスト４９および推奨リスト５５は、上記の項目リスト生成部１６ｂおよび推奨リスト生成部１６ｃによって生成されたものである。ユーザーは、表示された推奨リスト５５を書き替える（推奨リスト５５内のいずれかのメニュー項目を、項目リスト４９に表示されたメニュー項目のいずれかと入れ替える）ことにより、ＯＳＤメニュー画面３０のトップメニューとして表示させたいメニュー項目を選択する（Ｓ１０）。
【００４０】
Ｓ０６，Ｓ１０においてメニュー項目の選択を終えると、ユーザーは、後述する［設定終了］ボタンを押下し（Ｓ１１）、設定を終了する。プロジェクター１０は、当該［設定終了］ボタンの押下をトリガとして、ＯＳＤメニュー画面３０のカスタマイズを行う（Ｓ１２）。すなわち、ユーザー用にカスタマイズされたＯＳＤメニュー画面３０を生成する。また、カスタマイズ後は、ユーザー名と、当該ユーザーの選択結果と、を関連付けて、選択結果記憶部１７ａに保存する（Ｓ１３）。
【００４１】
次に、図３ないし図６に示す画面表示例を参照し、ＯＳＤメニュー画面３０の画面要素を選択するための選択操作およびそのカスタマイズ結果について説明する。図３は、標準のＯＳＤメニュー画面３０（Ｄ０１）の表示例と、メニュー項目の階層構成を示す図である。図３（ａ）に示すように、ＯＳＤメニュー画面３０には、トップメニュー表示領域３１と、画面情報表示領域３２と、設定値表示領域３３と、が設けられている。
【００４２】
標準のＯＳＤメニュー画面３０（Ｄ０１）のトップメニュー表示領域３１には、トップメニューとして、映像の画質、明るさ、コントラストなどを調整するための［画質調整］ボタン、入力信号の選択および映像調整を行うための[映像]ボタン、台形補正や音量調整など各種設定を行うための［設定］ボタン、表示設定および設定場所に応じた設置モードなどを設定するための［拡張設定］ボタン、ネットワーク設定を行うための［ネットワーク］ボタン、光源ランプの累積使用時間や入力信号を表示させるための［情報］ボタン、ＯＳＤメニュー画面３０（環境設定メニュー）の全項目を初期化するための［初期化］ボタン、が表示されている。
【００４３】
画面情報表示領域３２は、画面レイアウト名と、ユーザー名と、が表示される。また、設定値表示領域３３は、選択されたトップメニューの階層下にあるサブメニューと、その設定値と、が表示される。また、表示を前画面に戻すための［戻る］アイコン３４が表示される。ユーザーは環境設定を行う場合、まずトップメニュー表示領域３１からトップメニューを選択し、設定値表示領域３３からサブメニューを選択し、さらに選択した項目の設定値を変更して、操作部１２に設けられた決定キー（図示省略）を押下する。
【００４４】
図３（ｂ）は、上記に示したトップメニューのうち、［画質調整］および[映像]のサブメニューを示したものである。同図に示すように、［画質調整］および[映像]は、いずれも２階層構成となっている。図３（ａ）にも示したとおり、トップメニュー［画質調整］が選択された場合は、設定値表示領域３３に、［カラーモード］、［明るさ］・・・などのサブメニューと、その設定値が表示される。なお、サブメニュー［色の濃さ］および［色合い］については、現在投写されている映像信号に応じて表示される項目であるため、図３（ａ）に示したとおり、非表示となる場合がある。また、図３（ｂ）に示すように、トップメニュー［映像］が選択された場合は、設定値表示領域３３に、［自動調整］、［トラッキング］・・・などのサブメニューと、その設定値が表示される。
【００４５】
図４および図５は、ＯＳＤメニュー画面３０をカスタマイズするための選択画面４０の表示例を示す図である。図４（ａ）は、ユーザー名を選択するための選択画面４０（Ｄ１１）の一例を示したものである。当該画面Ｄ１１には、設定項目表示領域４１と、ユーザー名表示領域４２と、ヘルプ表示領域４３と、が設けられている。設定項目表示領域４１において、［ユーザー切替］ボタンが押下されると、ユーザー名表示領域４２に、登録済みのユーザー名が表示される。なお、ユーザー名でなく、使用目的や使用場所を登録するようにしても良い。また、ヘルプ表示領域４３には、選択方法についての説明が表示される。
【００４６】
図４（ｂ）は、画面レイアウトを選択するための選択画面４０（Ｄ１２）の一例を示したものである。当該画面Ｄ１２には、設定項目表示領域４１と、画面レイアウト表示領域４４と、ヘルプ表示領域４５と、が設けられている。設定項目表示領域４１において、［レイアウト］ボタンが押下されると、画面レイアウト表示領域４４に、画面レイアウトのイメージ図と、その説明が表示される。同図は、画面レイアウト「動画用」のイメージ図が表示された状態を示している。また、ヘルプ表示領域４５には、選択方法についての説明が表示される。
【００４７】
図５（ａ）は、「カスタム設定」によりメニュー項目を選択するための選択画面４０（Ｄ１３）の一例を示したものである。当該画面Ｄ１３には、設定項目表示領域４１と、項目リスト４６と、選択項目表示領域４７と、ヘルプ表示領域４８と、が設けられている。設定項目表示領域４１において、［項目設定］ボタンが押下されると、項目リスト４６には、メニュー項目記憶部１３ｂに記憶されているメニュー項目の一覧を表示する。ここでは、標準のＯＳＤメニュー画面３０（Ｄ０１，図３（ａ）参照）のトップメニュー表示領域３１に表示されるトップメニューのメニュー項目に続き、トップメニュー［画質調整］のサブメニューのメニュー項目が表示される（図３（ｂ）参照）。他のトップメニューのサブメニューについては、操作部１２のカーソルキーの操作により、も表示可能となっている。なお、項目リスト４６には、画面Ｄ１２における画面レイアウトの選択結果に関わらず、全てのメニュー項目（項目一覧）が表示される。選択項目表示領域４７は、項目リスト４６に表示された項目リストの中から、ユーザーが選択したメニュー項目を表示する。また、ヘルプ表示領域４８には、選択方法についての説明が表示される。
【００４８】
図５（ｂ）は、「おまかせ設定」によりメニュー項目を選択するための選択画面４０（Ｄ１４）の一例を示したものである。当該画面Ｄ１４には、設定項目表示領域４１と、項目リスト４９と、選択項目表示領域５０（推奨リスト５５）と、ヘルプ表示領域５１，５２と、が設けられている。設定項目表示領域４１において、［おまかせ設定］ボタンが押下されると、項目リスト４９には、使用頻度の高いメニュー項目が、その使用頻度の高い順に列記される。なお、図４（ａ）に示した画面Ｄ１１において、ユーザー名が新規作成された場合は、ユーザー名に関わらず、当該プロジェクター１０における各メニュー項目の使用回数に応じて、表示順序が決定される。また、画面Ｄ１１において、登録済みのユーザー名が選択された場合は、当該ユーザー名が作成したＯＳＤメニュー画面３０における各メニュー項目の使用回数に応じて、表示順序が決定される。一方、選択項目表示領域５０には、使用頻度計測部１６ａの計測結果と、図４（ｂ）に示した画面Ｄ１２において選択された画面レイアウトの選択結果と、に基づいて抽出した推奨リスト５５が表示される。つまり、ユーザーは、推奨リスト５５の書き替えが不要の場合は、そのまま決定キーを押下すればよく、選択項目の選択操作の手間を省くことができる。なお、ヘルプ表示領域５１には、項目リスト４９および選択項目表示領域５０の補足説明が表示され、ヘルプ表示領域５２には、選択方法についての説明が表示される。
【００４９】
図６は、カスタマイズされたＯＳＤメニュー画面３０の表示例を示す図である。図６（ａ）は、画面レイアウト「動画用」が選択された場合であって、選択項目表示領域４７，５０において、［画質調整］、[映像]、［初期化］が選択された場合のＯＳＤメニュー画面３０（Ｄ２１）の一例を示したものである。この場合、同図に示すように、トップメニュー表示領域３１には、選択された上記３つのメニュー項目が表示され、画面情報表示領域３２には、画面レイアウトの種類［動画］と、ユーザー名と、が表示される。また、設定値表示領域３３は、選択された画面レイアウトの種類「動画用」に合わせて、フィルム風のスタイル（表示枠およびデザイン）となっている。また、選択項目表示領域４７，５０において選択されたメニュー項目には、全てサブメニューが存在するため、同画面Ｄ２１でトップメニュー［画質調整］、[映像]、［初期化］のいずれかが選択されると、設定値表示領域３３には、そのサブメニューが表示される。なお、選択項目表示領域４７，５０において選択されたメニュー項目にサブメニューが存在しない場合（選択項目表示領域４７，５０においてサブメニューが選択された場合など）は、その項目名と設定値のみが、設定値表示領域３３に表示されることとなる。また、［戻る］アイコン３４も、画面レイアウトの種類「動画用」に応じたデザインとなる。
【００５０】
図６（ｂ）は、画面レイアウト「ＰＣ用」が選択された場合であって、選択項目表示領域４７，５０において、［設定］、［ネットワーク］、[映像]、［初期化］が選択された場合のＯＳＤメニュー画面３０（Ｄ２２）の一例を示したものである。この場合、同図に示すように、トップメニュー表示領域３１には、選択された上記４つのメニュー項目が表示され、画面情報表示領域３２には、画面レイアウトの種類［ＰＣ］と、ユーザー名と、が表示される。また、設定値表示領域３３は、選択された画面レイアウトの種類「ＰＣ用」に合わせて、ウィンドウフレーム風のスタイルとなっており、［戻る］アイコン３４も、画面レイアウトの種類「ＰＣ用」に応じたデザインとなる。
【００５１】
以上説明したとおり、本実施形態によれば、ユーザーが画面要素を選択することにより、ユーザーの嗜好や使用用途に適したＯＳＤメニュー画面３０を生成することができる。また、画面要素として、メニュー項目を選択できるため、ユーザーの嗜好や使用用途に適したメニュー項目のみを、ＯＳＤメニュー画面３０に表示させることができる。また、メインメニューおよびサブメニューの中から、所望のメニュー項目を選択できるため、使用頻度が高いサブメニューを画面要素として選択しておけば、ＯＳＤメニュー画面３０のトップメニューとしてサブメニューを表示させることができ、階層を下るための操作を必要とすることなく、１回の選択操作でそのサブメニューを選択することができる。
【００５２】
また、選択結果記憶部１７ａは、複数のユーザーの選択結果を記憶可能であり、各ユーザーの選択結果である１以上のメニュー項目と共に、各メニュー項目の設定値を不揮発に記憶するため、１台のプロジェクター１０を複数人で共有する場合に便利である。また、一人のユーザーが、使用目的や使用場所毎に、メニュー項目および設定値を記憶させておきたい場合にも、便利である。
【００５３】
また、「おまかせ設定」の場合は、使用頻度の高いメニュー項目を抽出した項目リスト４９が表示されるため、ユーザーは、自分に必要なメニュー項目を把握することができ、容易に１以上のメニュー項目を選択することができる。また、選択項目として、各メニュー項目の使用頻度と、画面レイアウトの選択結果に応じた推奨リスト５５が表示されるため、ユーザーは、自分のニーズと使用目的に適したメニュー項目を把握することができ、容易に１以上のメニュー項目を選択することができる。また、メニュー項目の選択は、推奨リスト５５を書き替えれば良いため、推奨リスト５５どおりで良い場合は選択操作を必要とすることがなく、ユーザーの手間を省くことができる。
【００５４】
なお、上記の実施形態では、「おまかせ設定」の場合に、使用頻度の高いメニュー項目を抽出した項目リスト４９を表示するものとしたが、「カスタム設定」の場合も、使用頻度が高いと考えられる順に、項目リスト４６（項目一覧）を表示しても良い。また、「カスタム設定」の場合も、画面レイアウトの選択結果に応じた項目リスト４６を表示するようにしても良い。つまり、「動画用」や「ＰＣ用」などの画面レイアウトの選択結果に応じ、その使用目的において一般に使用頻度が高いと考えられるメニュー項目を優先して、項目リスト４６を生成するようにしても良い。
【００５５】
また、上記の実施形態では、「おまかせ設定」の場合に、使用頻度計測部１６ａの計測結果と、画面レイアウトの選択結果と、に基づいて抽出した推奨リスト５５を表示するものとしたが、画面レイアウトの選択結果のみに基づいて抽出した推奨リスト５５を表示しても良い。つまり、項目リスト４９に使用頻度が反映され、推奨リスト５５に画面レイアウトの選択結果が反映される、といった構成でも良い。
【００５６】
また、上記の実施形態に示したプロジェクター１０における各部をプログラムとして提供することが可能である。また、そのプログラムを記録媒体（図示省略）に格納して提供することも可能である。すなわち、コンピューターをプロジェクター１０の各部として機能させるためのプログラム、およびそれを記録した記録媒体も、本発明の権利範囲に含まれるものである。その他、本発明の要旨を逸脱しない範囲で、適宜変更が可能である。
【符号の説明】
【００５７】
１０…プロジェクター  １１…信号入力部  １２…操作部  １３…ＯＳＤ用メモリー  １４…ＯＳＤ処理部  １５…画像処理部  １６…中央制御部  １７…制御用メモリー  １８…投写制御部  １９…投写光学系  ３０…ＯＳＤメニュー画面  ４０…選択画面
【図１】
2010169986.tif 000003
【図２】
2010169986.tif 000004
【図３】
2010169986.tif 000005
【図４】
2010169986.tif 000006
【図５】
2010169986.tif 000007
【図６】
2010169986.tif 000008